(57)【要約】【課題】快適な光環境を実現しつつ省エネを図る照明装置を提供する。【解決手段】照明装置での点灯が開始されると（Ｓ１６０でＹＥＳ）、開始時には設定された輝度で点灯され（Ｓ１６２）、照明装置の制御装置に減光タイマとして減光する時間、および減光目標としてそのときの輝度の所定割合が設定される（Ｓ１６４）。そして、減光タイマが０に達するまで（Ｓ１６６でＮＯ）、制御装置では輝度を徐々に減じる減光処理（Ｓ１６８）が繰り返され、点灯開始時の輝度から所定割合まで、所定時間をかけて徐々に減光される。【選択図】図２０
2011233292.tif 000002
【特許請求の範囲】
【請求項１】
発光部と、
前記発光部の出力制御を実行するための制御回路とを備え、
前記制御回路は、前記発光部での発光開始時または発光出力変更時から所定時間で、前記発光開始時または発光出力変更時の発光出力の所定割合まで、前記発光部での発光出力を徐々に減少させる、照明装置。
【請求項２】
前記制御回路は、前記発光部の点灯に従う調光率が前記所定時間での時間の経過に従って対数関数に従って変化するように前記発光部での発光出力を減少させる、請求項１に記載の照明装置。
【請求項３】
前記制御回路の出力制御に関する動作を規定する情報を記憶するメモリをさらに備え、
前記制御回路は、前記メモリに記憶された前記情報に規定される時間帯において、前記発光部の発光出力を前記情報に規定される発光出力に設定し、
該発光出力にて前記発光部での発光開始または発光出力変更を行なう、請求項１に記載の照明装置。
【発明の詳細な説明】
【技術分野】
【０００１】
この発明は、照明装置に関し、特に発光ダイオード（ＬＥＤ（Light Emitting Diode））を光源とする照明装置に関する。
【背景技術】
【０００２】
従来の照明装置は、白熱電球や蛍光灯を使用したものが一般的であり、点灯、消灯、出力調整による調光、常夜灯（豆球）の点灯などがあった。
【０００３】
近年、発光ダイオード（ＬＥＤ）の進化がめざましく、高輝度・高出力でさまざまな波長出力を持つＬＥＤが実用化されてきている。このようなＬＥＤを用いた照明装置であっても、従来の照明装置と同様に省エネ機能が要求されるようになっている。
【０００４】
従来の照明装置での省エネ機能として、特開平１１−２０４２７１号公報においては、照明負荷の点灯を開始した時点から徐々に照明負荷の出力を低下させて、所定の光量まで減光させる方法が提案されている。
【０００５】
一方で、光環境は、ヒトの心理面、生理面に大きな影響を与えるものであり、この光環境を適正に設計することは、健康で快適な生活環境を得る上で基本的な要素のうちの一つである。
【先行技術文献】
【特許文献】
【０００６】
【特許文献１】特開平１１−２０４２７１号公報
【発明の概要】
【発明が解決しようとする課題】
【０００７】
しかしながら、適正に減光させなければ、ヒトに違和感あるいは不快感を生じさせることにもなり快適な生活環境とはならない。また、ヒトによって個性が異なるため各個人にとって利便性の高い光環境とする必要がある。
【０００８】
本発明は、上記のような問題を解決するためになされたものであって、快適な光環境を実現しつつ省エネを図る照明装置を提供することを目的とする。
【課題を解決するための手段】
【０００９】
上記目的を達成するために、本発明のある局面に従うと、照明装置は、発光部と、発光部の出力制御を実行するための制御回路とを備え、制御回路は、発光部での発光開始時または発光出力変更時から所定時間で、発光開始時または発光出力変更の発光出力の所定割合まで、発光部での発光出力を徐々に減少させる。
【００１０】
好ましくは、制御回路は、発光部の点灯に従う調光率が所定時間での時間の経過に従って対数関数に従って変化するように発光部での発光出力を減少させる。
【００１１】
好ましくは、照明装置は制御回路の出力制御に関する動作を規定する情報を記憶するメモリをさらに備え、制御回路は、メモリに記憶された情報に規定される時間帯において、発光部の発光出力を当該情報に規定される発光出力に設定し、該発光出力にて発光部での発光開始または発光出力変更を行なう。
【発明の効果】
【００１２】
この発明によると、照明装置を用いて快適な光環境を実現しつつ省エネを図ることが可能となる。
【図面の簡単な説明】
【００１３】
【図１】本発明の実施の形態に従う照明装置の外観構成図である。
【図２】本発明の実施の形態に従う照明装置のハードウェアを説明する概略ブロック図である。
【図３】本発明の実施の形態に従うＬＥＤモジュールの構成を説明する図である。
【図４】ＬＥＤモジュールが照明装置に配置されている場合の一例を説明する図である。
【図５】本発明の実施の形態に従うリモコンの外観構成図である。
【図６】本発明の実施の形態に従うリモコンのハードウェアを説明する概略ブロック図である。
【図７】本発明の実施の形態に従う光環境制御モードの調光率を説明する図である。
【図８】光環境制御モードの各期間における照明部の動作を説明する動作テーブル図である。
【図９】図８の期間のうちの期間ｔＡにおける本発明の実施の形態に従う昼光色および電球色の調光率のグラフを説明する図である。
【図１０】図８の期間のうちの期間ｔＣにおける本発明の実施の形態に従う昼光色および電球色の調光率のグラフを説明する図である。
【図１１】図８の期間のうちの期間ｔＥにおける本発明の実施の形態に従う電球色の調光率のグラフを説明する図である。
【図１２】図８の期間のうちの期間ｔＥにおける本発明の実施の形態に従う電球色の調光率の別のグラフを説明する図である。
【図１３】本発明の実施の形態に従う照明装置のメインフローを説明する図である。
【図１４】本発明の実施の形態に従う点灯調整モードの処理を説明するフロー図である。
【図１５】本発明の実施の形態に従う光環境制御モードのフローを説明する図である。
【図１６】本発明の実施の形態に従う我が家流設定における起床時刻、夕食時刻、就寝時刻の設定時刻について説明する図である。
【図１７】本発明の実施の形態に従うリモコンの液晶パネルにおける我が家流設定の画面について説明する図である。
【図１８】本発明の実施の形態に従う我が家流設定のフローを説明する図である。
【図１９】本発明の実施の形態に従うエコ点灯モードにおける調光率のグラフを説明する図である。
【図２０】本発明の実施の形態に従うエコ点灯モードの処理を説明するフロー図である。
【図２１】図２０のエコ点灯モードの処理のうちのステップＳ１６８の減光処理のサブルーチンである。
【発明を実施するための形態】
【００１４】
以下、本発明の実施の形態について、図面を参照して説明する。以下の説明では、同一の部品には同一の符号を附してある。それらの名称および機能も同じである。したがって、それらについての詳細な説明は繰返さない。
【００１５】
図１は、本発明の実施の形態に従う照明装置１の外観構成図である。
図１を参照して、本発明の実施の形態に従う照明装置１には、本体部を取り付けるためのシャーシ２と、シャーシ２とともに本体部全面を覆うカバー８，９とが設けられている場合が示されている。本例においては、一例として、照明装置１のシャーシ２が天井に取り付けられているものとする。
【００１６】
カバー８は、照明用のＬＥＤモジュールが配置される領域に対応して設けられる。当該カバー８の領域から光が照射される。
【００１７】
カバー８の中央付近に設けられている別のカバー９は、ＬＥＤモジュールを制御する基板等の制御装置が配置される領域に対応して設けられる。当該カバー９に対応する領域には、ＬＥＤモジュールは設けられていないため光は照射されない。
【００１８】
また、当該照明装置１を操作するための携帯型のリモコン５０が設けられている。リモコン５０を操作することにより照明装置１に対して各種動作指示を与えることが可能となる。リモコン５０の詳細については後述する。
【００１９】
図２は、本発明の実施の形態に従う照明装置１のハードウェアを説明する概略ブロック図である。
【００２０】
図２を参照して、本発明の実施の形態に従う照明装置１は、電源回路１０と、照明制御部２０と、照明部３０と、インタフェース部４０とを含む。
【００２１】
電源回路１０は、交流電源入力（ＡＣ入力）（１００Ｖ）を受けて直流電圧に変換して装置の各部に電圧を供給する。なお、本例においては、一例として制御電源供給回路２１および照明部３０のみに電圧が供給されているように示されているが、特にこれに限られず、他の部位に対しても必要な電圧が供給されるものとする。
【００２２】
照明制御部２０は、電源回路１０から供給される電圧をＣＰＵ２２に供給するために調整する制御電源供給回路２１と、照明装置１全体を制御するためのＣＰＵ（Central Processing Unit）２２と、ＰＷＭ（Pulse Width Modulation）制御回路２３と、信号受信部２５と、ＳＷ入力部２６と、水晶発振子２７と、照度センサ２８と、メモリ２９とを含む。ＣＰＵ２２とメモリ２９とＰＷＭ制御回路２３とはマイコン（マイクロコンピュータ）によって構成される。
【００２３】
ＣＰＵ２２は、各部と接続されるとともに、照明装置１全体を制御するために必要な動作を指示する。
【００２４】
ＰＷＭ制御回路２３は、ＣＰＵ２２からの指示に従ってＬＥＤモジュール３１，３２を駆動するために必要なＰＷＭパルスを生成する。
【００２５】
信号受信部２５は、インタフェース部４０に含まれる赤外線受光部４１と接続されて、赤外線受光部４１で受光された赤外線信号に応答した指示をＣＰＵ２２に出力する。
【００２６】
ＳＷ入力部２６は、操作ＳＷ（スイッチ）４２と接続されて、操作ＳＷの操作に応答した指示をＣＰＵ２２に出力する。
【００２７】
水晶発振子２７は、所定の周期で発振信号を生成してＣＰＵ２２に出力する。ＣＰＵ２２は、水晶発振子２７から発振される発振信号（クロック信号）の入力を受けて、当該クロック信号に同期した各種動作を実行する。なお、ＣＰＵ２２は、水晶発振子２７から出力される発振信号に従って時刻を正確に計測することが可能であるものとする。
【００２８】
照度センサ２８は、照明装置１周辺の照度を計測してＣＰＵ２２に出力する。ＣＰＵ２２は、照度センサ２８からの測定結果に基づいて調光率を制御することが可能である。
【００２９】
メモリ２９は、各種照明装置１を制御するためのプログラムおよび初期値等が格納されるとともに、ＣＰＵ２２のワーキングメモリとしても用いられる。
【００３０】
照明部３０は、互いに色温度の異なるＬＥＤモジュール３１，３２と、ＬＥＤモジュール３１，３２を駆動するために用いられるＦＥＴ（Field Effect Transistor）スイッチ３３，３４とを含む。本例において、ＬＥＤモジュール３１の色温度は、６７００Ｋ程度、ＬＥＤモジュール３２の色温度は、２７００Ｋ程度とする。以下、ＬＥＤモジュール３１を昼光色ＬＥＤ（単に昼光色）とも称する。また、ＬＥＤモジュール３２を電球色ＬＥＤ（単に電球色）とも称する。なお、ここでは、ＬＥＤモジュール３１，３２は、それぞれ１つずつ１組として設けられている場合が示されているが、複数組が設けられる構成とすることも可能である。また、ＦＥＴスイッチ３３，３４はＰＷＭ制御回路２３にあってもよい。
【００３１】
インタフェース部４０は、赤外線受光部４１と、操作ＳＷ４２とを含む。
赤外線受光部４１は、上述したリモコン５０からの赤外線信号を受光する。そして、赤外線信号を光電変換して信号受信部２５に出力する。
【００３２】
操作ＳＷ４２は、電源スイッチ等を含み、ユーザの電源スイッチ等のスイッチ操作に応答した指示がＳＷ入力部２６を介してＣＰＵ２２に出力される。なお、電源スイッチがオンの場合には、照明装置１には必要な電源が供給され、電源スイッチがオフの場合には、照明装置１には電源が供給されないものとする。本例における各種動作については、電源スイッチがオンの場合とする。
【００３３】
図３は、本発明の実施の形態に従うＬＥＤモジュール３１，３２の構成を説明する図である。
【００３４】
図３を参照して、ＣＰＵ２２は、ＰＷＭ制御回路２３に指示してＬＥＤモジュール３１，３２の少なくとも一方を駆動するためのＰＷＭパルスＳ１，Ｓ２を生成して出力する。
【００３５】
ＬＥＤモジュール３１，３２は、電源回路１０から必要な電圧の供給を受ける。ＬＥＤモジュール３１，３２と接地電圧ＧＮＤとの間には、ＦＥＴスイッチ３３，３４とがそれぞれ設けられている。
【００３６】
そして、ＰＷＭパルスＳ１，Ｓ２に応答してＦＥＴスイッチ３３，３４が導通／非導通となることによりＬＥＤモジュール３１，３２に電流が供給／遮断される。ＬＥＤモジュール３１，３２に電流が供給されることによりＬＥＤモジュール３１，３２はそれぞれ発光する。なお、ここでは、ＬＥＤモジュール３１，３２を駆動する構成について説明したが、他のＬＥＤモジュールがさらに複数個設けられている場合についても同様である。
【００３７】
図４は、ＬＥＤモジュール３１，３２が照明装置１に配置されている場合の一例を説明する図である。
【００３８】
図４を参照して、ＬＥＤモジュール３１，３２を互いに隣接して配置し、かつ、複数組円形状に配列して実装した場合が示されている。色温度の異なるＬＥＤモジュール３１，３２を互いに隣接して実装することにより、それぞれのＬＥＤモジュールから発光される光を混ざりやすくし、照射面での色のバラツキ、ムラを無くすことが可能となる。
【００３９】
図５は、本発明の実施の形態に従うリモコン５０の外観構成図である。
図５を参照して、リモコン５０は、液晶パネル５２と、各種ボタンが設けられている。液晶パネル５２は、液晶以外の他の表示装置を用いることも可能である。
【００４０】
また、ここでは、複数のボタンが設けられている。具体的には、「全灯」ボタン５４と、「消灯」ボタン５３と、調光率の上げ下げを指示するための「アップ」ボタン５７Ａおよび「ダウン」ボタン５７Ｂと、「電球色」ボタン５９Ａおよび「昼光色」ボタン５９Ｂと、「光環境制御」ボタン５８と、「エコ点灯」ボタン６０と、「我が家流」設定ボタン６２と、「明るさプラス」ボタン６４と、「おやすみ前」ボタン６６と、「時刻設定」ボタン６８と、「照度センサ」ボタン７０と、「お気に入り」ボタン７２と、数値等の上げ下げを指示するための「＋／−」ボタン７４と、「タイマ」ボタン７６とが設けられる。
【００４１】
ユーザが「全灯」ボタン５４を押下することにより全点灯制御指示がリモコン５０から出力される。照明装置１のＣＰＵ２２は、リモコン５０からの全点灯制御指示の入力を受けて、ＰＷＭ制御回路２３に対して照明部３０への全点灯制御を開始するように指示する。これにより、「全灯」ボタン５４の押下すなわち、リモコン５０からの全点灯制御指示の入力に従って、照明部３０から調光率１００％の光が照射される。
【００４２】
照明部３０から照射される光の調光率は、「アップ」ボタン５７Ａおよび「ダウン」ボタン５７Ｂの操作によって段階的に全灯（調光率１００％）から微灯（調光率３０％）まで調整される。具体的には、例えば、「全灯」ボタン５４が押下されて全灯（調光率１００％）である状態で「ダウン」ボタン５７Ｂが押下されたときには半灯（調光率５０％）となり、その状態で「ダウン」ボタン５７Ｂが押下されたときには微灯（調光率３０％）となる。また、その状態で「アップ」ボタン５７Ａが押下されたときには半灯（調光率５０％）となり、その状態で「アップ」ボタン５７Ａが押下されたときには全灯（調光率１００％）となる。なお、現在の調光率はメモリ２９に記憶されているものとする。
【００４３】
点灯中にユーザが「消灯」ボタン５３を押下することにより消灯制御指示がリモコン５０から出力される。照明装置１のＣＰＵ２２は、リモコン５０からの消灯制御指示の入力を受けて、ＰＷＭ制御回路２３に対して照明部３０を消灯するように指示する。これにより、「消灯」ボタン５３の押下すなわち、リモコン５０からの消灯制御指示の入力に従って、照明部３０からの光の照射が終了する。
【００４４】
また、ユーザが「電球色」ボタン５９Ａおよび「昼光色」ボタン５９Ｂを押下することにより色調の切り替え指示がリモコン５０から出力される。照明装置１のＣＰＵ２２は、リモコン５０からの色調の切り替え指示の入力を受けてＰＷＭ制御回路２３に対して照明部３０への点灯切り替えを指示する。ここで、「電球色」ボタン５９Ａおよび「昼光色」ボタン５９Ｂの押下すなわち、リモコン５０からの色調の切り替え指示の入力に従って、照明部３０から照射する光の色調を調整可能であるものとする。具体的には、「電球色」ボタン５９Ａが押下された場合には、調光率は維持しつつ昼光色から電球色に段階的に切り替わるように設定されるものとする。例えば、昼光色の全灯（調光率１００％）である「昼光色」の状態で「電球色」ボタン５９Ａが押下されたときには、昼光色を調光率７０％、電球色を調光率３０％の「半昼光色」に設定して、調光率は維持しつつ色味を昼光色から電球色側に変化させる。その状態でさらに「電球色」ボタン５９Ａが押下されたときには、昼光色を調光率３０％、電球色を調光率７０％の「半電球色」に設定して、調光率は維持しつつ色味をさらに昼光色から電球色側に変化させる。また、「昼光色」ボタン５９Ｂが押下された場合には、調光率は維持しつつ電球色から昼光色に段階的に切り替わるように設定されるものとする。例えば、電球色の全灯（調光率１００％）である「電球色」の状態で「昼光色」ボタン５９Ｂが押下されたときには、電球色を調光率７０％、昼光色を調光率３０％の「半電球色」に設定して、調光率は維持しつつ色味を電球色から昼光色側に変化させる。その状態でさらに「昼光色」ボタン５９Ｂが押下されたときには、電球色を調光率３０％、昼光色を調光率７０％の「半昼光色」に設定して、調光率は維持しつつ色味をさらに電球色から昼光色側に変化させる。なお、現在の色調はメモリ２９に記憶されているものとする。
【００４５】
当該操作に従って、ユーザが「アップ」ボタン５７Ａおよび「ダウン」ボタン５７Ｂあるいは「電球色」ボタン５９Ａおよび「昼光色」ボタン５９Ｂを操作することによりユーザの好みの調光率および色調に変化させて快適な光環境を実現することが可能である。
【００４６】
また、ユーザが「光環境制御」ボタン５８を押下することにより、光環境制御モード指示がリモコン５０から出力される。照明装置１のＣＰＵ２２は、リモコン５０からの光環境制御指示の入力を受けてＰＷＭ制御回路２３に対して照明部３０への光環境制御モードにおける点灯制御を開始するように指示する。光環境制御モードについては後述する。
【００４７】
また、ユーザが「エコ点灯」ボタン６０を押下することにより、エコ点灯モード指示がリモコン５０から出力される。照明装置１のＣＰＵ２２は、リモコン５０からのエコ点灯指示の入力を受けてＰＷＭ制御回路２３に対して照明部３０へのエコ点灯モードにおける点灯制御を開始するように指示する。エコ点灯モードについては後述する。
【００４８】
また、ユーザが「我が家流」設定ボタン６２を押下することにより我が家流設定における動作を開始することが可能となる。我が家流の設定については後述する。
【００４９】
また、ユーザが「明るさプラス」ボタン６４を押下することにより、明るさプラス指示がリモコン５０から出力される。照明装置１のＣＰＵ２２は、リモコン５０からの明るさプラス指示の入力を受けてＰＷＭ制御回路２３に対して照明部３０への明るさプラスモードにおける点灯制御を開始するように指示する。明るさプラスモードについては後述する。
【００５０】
また、ユーザが「おやすみ前」ボタン６６を押下することによりおやすみ前指示がリモコン５０から出力される。照明装置１のＣＰＵ２２は、リモコン５０からのおやすみ前指示の入力を受けてＰＷＭ制御回路２３に対して照明部３０へのおやすみ前モードにおける点灯制御を開始するように指示する。おやすみ前モードについては後述する。
【００５１】
また、ユーザが「時刻設定」ボタン６８を押下することにより時刻設定における動作を開始することが可能となる。具体的には、当該「時刻設定」ボタン６８を押下することにより時刻設定画面（図示せず）が液晶パネル５２に表示される。そして、時刻設定画面において、ユーザは、「＋／−」ボタン７４を用いて現在の時刻を設定することが可能である。そして、再度、「時刻設定」ボタン６８を押下することにより現在の時刻情報がリモコン５０から出力される。照明装置１のＣＰＵ２２は、リモコン５０からの時刻情報の入力を受けて、当該入力された時刻情報を基準に以降、水晶発振子２７から発振される発振信号（クロック信号）に従って正確な時刻を計測することが可能であるものとする。なお、本例における光環境制御モードは、時刻に応じた点灯制御が実行されるため照明装置１において時刻が設定されていない場合には、光環境制御モードは実行されないものとする。
【００５２】
また、ユーザが「照度センサ」ボタン７０を押下することにより、照度センサの動作指示がリモコン５０から出力される。照明装置１のＣＰＵ２２は、リモコン５０からの照度センサ２８の動作指示の入力を受けて、照度センサ２８において計測された測定結果を取得する。そして、ＣＰＵ２２は、照度センサ２８から取得した測定結果に基づいて調光率を制御する。例えば、照度センサ２８の測定結果に基づいて、太陽光（自然光）の入光により部屋等の室内環境が十分に明るいと判断される場合には、設定されている調光率を下げて照度を調整することが可能である。これにより消費電力を低減することが可能である。また、逆に太陽光（自然光）が遮断されて部屋等の室内環境が暗いと判断される場合には、設定されている調光率を限度として、再び調光率を上げることにより適切な照度となるように調整することが可能である。また、ユーザが「照度センサ」ボタン７０を再度押下することにより、照度センサの動作停止指示がリモコン５０から出力される。照明装置１のＣＰＵ２２は、リモコン５０からの照度センサ２８の動作停止指示の入力を受けて、照度センサ２８において計測された測定結果に基づく調光率の制御を停止する。これにより照度センサ２８での測定結果に係わらずユーザの望む調光率に設定することが可能となる。
【００５３】
また、ユーザが「お気に入り」ボタン７２を押下することにより、押下する時点の照明装置１の調光率および色調がメモリ２９に記憶される。これにより、ユーザが次回以降、「お気に入り」ボタン７２を押下することによりメモリ２９に記憶された調光率および色調にワンタッチで設定することが可能となり、ユーザの利便性に供する。
【００５４】
また、ユーザが「タイマ」ボタン７６を押下することによりタイマ設定における動作を開始することが可能となる。具体的には、当該「タイマ」ボタン７６を押下することによりタイマ設定画面（図示せず）が液晶パネル５２に表示される。そして、タイマ設定画面において、ユーザは、「＋／−」ボタン７４を用いて点灯時刻あるいは消灯時刻を設定することが可能である。そして、再度、「タイマ」ボタン７６を押下することによりタイマ設定情報がリモコン５０から出力される。照明装置１のＣＰＵ２２は、リモコン５０からのタイマ設定情報の入力を受けて、当該入力されたタイマ設定情報に従ってタイマ動作を実行する。具体的には、点灯時刻が設定された場合には、当該時刻となった場合に点灯制御を実行する。あるいは、消灯時刻が設定された場合には、当該時刻となった場合に消灯動作を実行する。なお、本例におけるタイマ動作は、照明装置１において時刻が設定されていない場合には、実行されないものとする。
【００５５】
図６は、本発明の実施の形態に従うリモコン５０のハードウェアを説明する概略ブロック図である。
【００５６】
図６を参照して、本発明の実施の形態に従うリモコン５０は、電源回路５１と、リモコン制御部５５と、インタフェース部５６とを含む。
【００５７】
電源回路５１は、２次電池等のバッテリからの電力の供給を受けて装置の各部に電圧を供給する。なお、本例においては、一例として制御電源供給回路８１にのみ電圧が供給されているように示されているが、特にこれに限られず、他の部位に対しても必要な電圧が供給されるものとする。
【００５８】
リモコン制御部５５は、電源回路５１から供給される電圧をＣＰＵ８６に供給するために調整する制御電源供給回路８１と、リモコン５０全体を制御するためのＣＰＵ（Central Processing Unit）８６と、液晶パネル５２を駆動する液晶駆動回路８２と、信号送信部８４と、ＳＷ入力部８３と、水晶発振子８５と、メモリ８０とを含む。
【００５９】
ＣＰＵ８６は、各部と接続されるとともに、リモコン５０全体を制御するために必要な動作を指示する。
【００６０】
液晶駆動回路８２は、ＣＰＵ８６からの指示に従って所望の画面を表示する液晶パネル５２を駆動する。
【００６１】
信号送信部８４は、ＣＰＵ８６からの指示をインタフェース部５６に含まれる赤外線投光部８７に出力する。
【００６２】
ＳＷ入力部８３は、操作ＳＷ（スイッチ）８８と接続されて、操作ＳＷの操作に応答した指示をＣＰＵ８６に出力する。
【００６３】
水晶発振子８５は、所定の周期で発振信号を生成してＣＰＵ８６に出力する。ＣＰＵ８６は、水晶発振子８５から発振される発振信号（クロック信号）の入力を受けて、当該クロック信号に同期した各種動作を実行する。なお、ＣＰＵ８６は、水晶発振子８５から出力される発振信号に従って時刻を正確に計測することが可能であるものとする。
【００６４】
なお、リモコン５０には必ずしも水晶発振子８５が含まれなくてもよい。この場合、ＣＰＵ８６は、「時刻設定」ボタン６８や「＋／−」ボタン７４などが押下されることによって時刻の入力を受け付けて、入力された時刻に基づいて以降の現在時刻を計測するようにしてもよい。
【００６５】
メモリ８０は、リモコン５０を制御するためのプログラムおよび初期値等が格納されるとともに、ＣＰＵ８６のワーキングメモリとしても用いられる。
【００６６】
インタフェース部５６は、赤外線投光部８７と、操作ＳＷ８８と、液晶パネル５２とを含む。
【００６７】
赤外線投光部８７は、信号送信部８４から出力された信号を赤外線信号に変換して照明装置１に投光する。
【００６８】
操作ＳＷ８８は、上述したリモコン５０に設けられた各種のボタンで構成されている。具体的には、「全灯」ボタン５４と、「消灯」ボタン５３と、調光率の上げ下げを指示するための「アップ」ボタン５７Ａおよび「ダウン」ボタン５７Ｂと、「電球色」ボタン５９Ａおよび「昼光色」ボタン５９Ｂと、「光環境制御」ボタン５８と、「エコ点灯」ボタン６０と、「我が家流」設定ボタン６２と、「明るさプラス」ボタン６４と、「おやすみ前」ボタン６６と、「時刻設定」ボタン６８と、「照度センサ」ボタン７０と、「お気に入り」ボタン７２と、数値等の上げ下げを指示するための「＋／−」ボタン７４と、「タイマ」ボタン７６とが設けられる。
【００６９】
リモコン５０のＣＰＵ８６は、ＳＷ入力部８３を介して操作ＳＷ８８における各ボタンの入力指示を受けて、信号送信部８４に各ボタンに応じた送信信号の出力を指示する。信号送信部８４は、ＣＰＵ８６からの指示に応答して、赤外線投光部８７を介して各ボタンに応じた送信信号を赤外線信号として照明装置１に出力する。照明装置１の赤外線受光部４１は、リモコン５０の赤外線投光部８７から投光された赤外線信号を受信する。そして、赤外線受光部４１は、受光された赤外線信号を光電変換する。そして、信号受信部２５は、光電変換により得られたリモコン５０から指示された送信信号をＣＰＵ２２に出力する。当該動作により、ＣＰＵ２２は、リモコン５０からの入力指示に応じた動作を実行する。
【００７０】
具体的には、上述したようにユーザが「アップ」ボタン５７Ａまたは「ダウン」ボタン５７Ｂを押下することによりＣＰＵ２２は、照明部３０におけるＬＥＤモジュール３１，３２の発光に従う調光率を調整する。
【００７１】
例えば、全灯（調光率１００％）である状態で「ダウン」ボタン５７Ｂが押下されるに従って「全灯」→「半灯」→「微灯」と変化し、その状態（調光率３０％）「アップ」ボタン５７Ａが押下されるに従って「微灯」→「半灯」→「全灯」と変化する。
【００７２】
また、上述したようにユーザが「電球色」ボタン５９Ａまたは「昼光色」ボタン５９Ｂを押下することによりＣＰＵ２２は、照明部３０におけるＬＥＤモジュール３１，３２の発光に従う色調を調整する。例えば、昼光色の全灯（調光率１００％）である「昼光色」の状態で「電球色」ボタン５９Ａが押下されるに従って「昼光色」→「半昼光色」→「半電球色」→「電球色」と変化し、その状態（電球色）で「昼光色」ボタン５９Ｂが押下されるに従って「電球色」→「半電球色」→「半昼光色」→「昼光色」と変化する。
【００７３】
なお、本例においては、携帯型のリモコン５０について説明したが、特にこれに限られず、壁面に設けられた固定式のリモコンとすることも可能である。また、当該リモコンを照明装置１のインタフェース部４０の一部として設けるようにしても良い。その場合、赤外線信号により操作ＳＷの信号を送信するのではなく、直接、信号線を用いて操作ＳＷからの指示信号を送信する構成とすることも可能である。また、信号の送受信は、赤外線に限られず、無線等を用いるようにしても良い。
【００７４】
次に、本発明の実施の形態に従う光環境制御モードについて説明する。
＜光環境制御モード＞
図７は、本発明の実施の形態に従う光環境制御モードの調光率を説明する図である。
【００７５】
図７を参照して、ここでは、２４時間のヒトの生体リズムとの相関関係に基づいて昼光色と電球色との調光率を調整する場合が示されている。
【００７６】
具体的には、２４時間を期間ｔＡ〜ｔｆの６つの期間にそれぞれ分けて、各期間における昼光色と電球色との調光率を設定する。
【００７７】
具体的には、期間ｔＡは、５時３０分〜６時３０分に設定されている。期間ｔＢは、６時３０分〜１８時００分に設定されている。期間ｔＣは、１８時００分〜１９時００分に設定されている。期間ｔＤは、１９時００分〜２１時００分に設定されている。期間ｔＥは、２１時００分〜２２時００分に設定されている。期間ｔＦは、２３時００分〜５時３０分に設定されている。ここで、起床時刻６時３０分、夕食時刻１９時００分、就寝時刻２３時００分は、デフォルトとして予め設定されているものとする。なお、後述するが、我が家流の設定において当該起床時刻６時３０分、夕食時刻１９時００分、就寝時刻２３時００分を変更することも可能である。この点については後述する。
【００７８】
図８は、光環境制御モードの各期間における照明部３０の動作を説明する動作テーブル図である。
【００７９】
図８を参照して、期間ｔＡ（時刻５時３０分〜６時３０分）である起床時刻１時間前からの１時間においては、早朝動作が実行される。具体的には、明るさとして、夜間調光率３０％から調光率１００％に変化させる。また、色調として電球色から昼光色に変化させる。なお、後述するが夜間調光率についても変更することが可能である。
【００８０】
期間ｔＢ（６時３０分〜１８時００分）である起床時刻から夕食時刻の１時間前までにおいては、日中動作が実行される。具体的には、明るさとして、調光率１００％を維持する。また、色調として昼光色を維持する。
【００８１】
期間ｔＣ（１８時００分〜１９時００分）である夕食時刻１時間前からの１時間においては、日没動作が実行される。具体的には、明るさとして、調光率１００％を維持する。また、色調として昼光色から電球色に変化させる。
【００８２】
期間ｔＤ（１９時００分〜２１時００分）である夕食時刻から就寝時刻２時間前までにおいては、夕食動作が実行される。具体的には、明るさとして、調光率１００％を維持する。また、色調として電球色を維持する。
【００８３】
期間ｔＥ（２１時００分〜２２時００分）である就寝時刻２時間前からの２時間においては、就寝動作が実行される。具体的には、明るさとして、調光率１００％から夜間調光率３０％に変化させる。また、色調としては電球色を維持する。
【００８４】
期間ｔＦ（２３時００分〜５時３０分）である就寝時刻から起床時刻１時間前までにおいては、夜間動作が実行される。具体的には、明るさとして、夜間調光率３０％を維持する。また、色調として電球色を維持する。
【００８５】
なお、上記動作テーブルは、一例であり、動作テーブルに設定されている時刻および期間は、それぞれ別の時刻および期間とすることも可能であるし、また、さらに、別の動作を設けるようにすることも可能である。
【００８６】
再び、図７を参照して、期間ｔＡの起床前においては、調光率を徐々に調整して明るくするとともに、色調を電球色から昼光色に変化させることにより起床時刻に合わせて徐々に眠りを浅くし、そして、起床時刻に調光率１００％とすることにより昼間の自然光に近い昼光色でさわやかな目覚めを促進することが可能である。
【００８７】
そして、期間ｔＢの日中は、自然光の色調と近い昼光色とすることによりヒトの活動期間において快適な作業を促進することが可能である。
【００８８】
そして、期間ｔＣの夕食前においては、色調を昼光色から夕方の自然光の色調と近い電球色に徐々に変化させることによりリラックス効果を生み出し、落ち着いた暖かい雰囲気に自然に環境を変化させることが可能である。
【００８９】
そして、期間ｔＤの夕食後においては、電球色を維持することによりヒトの沈静期間において落ち着いた暖かい雰囲気のもと、安らぎ感を得ることが可能である。
【００９０】
そして、期間ｔＥの就寝前においては、調光率を徐々に調整して暗くすることにより、ヒトの覚醒度を下げ、ヒトの生体リズムと関係のあるメラトニン分泌の上昇を促してスムーズな入眠を促進することが可能である。
【００９１】
そして、期間ｔＦの就寝中においては、調光率を低く維持することにより深い睡眠を促すとともに、ユーザが物を認識できる程度の調光率とすることにより夜間における動作も可能である。
【００９２】
したがって、上述した照明装置１の光環境制御モードにより、ヒトの生体リズムに合わせた明るさおよび色調に自動的に調整する光環境を実現することが可能である。そして、特に、本実施の形態に従う光環境制御モードにおいては、調光率および色調を変化させる各期間においてヒトに違和感あるいは不快感を生じさせないように自然に変化させる。
【００９３】
例えば、期間ｔＡにおいて、調光率３０％の電球色から調光率１００％の昼光色に徐々に調整する。
【００９４】
図９は、期間ｔＡにおける本発明の実施の形態に従う昼光色および電球色の調光率のグラフを説明する図である。
【００９５】
図９を参照して、ここでは、昼光色の調光率、電球色の調光率、全体の調光率の変化が示されている。
【００９６】
期間ｔＡにおいて、初期状態においては、電球色の調光率は３０％であり、昼光色の調光率は０％である。したがって、全体の調光率は３０％に設定されている場合が示されている。
【００９７】
上記グラフにおける調光率を算出する式について説明する。
全体の調光率Ｒとして初期状態の調光率Ａから期間Ｔの間に調光率Ｂまで線形に変化させる場合については、次式（１）で表される。なお、変数ｔは、時間である。
【００９８】
【数１】
2011233292.tif 000003
【００９９】
次に、昼光色および電球色の調光率Ｐ，Ｑの一般式を次式（２），（３）とする。
【０１００】
【数２】
2011233292.tif 000004
【０１０１】
これにより、式（１）を式（２），（３）にそれぞれ代入すると、昼光色および電球色の調光率Ｐ，Ｑは次式（４），（５）で表される。
【０１０２】
【数３】
2011233292.tif 000005
【０１０３】
そして、式（４），（５）に期間Ｔ＝６０、調光率Ａ＝３０、調光率Ｂ＝１００を代入した場合の昼光色および電球色の調光率Ｐ，Ｑは次式（６），（７）で表される。
【０１０４】
【数４】
2011233292.tif 000006
【０１０５】
当該式（６）および（７）に基づいて昼光色および電球色の調光率Ｐ，Ｑを設定することが可能となる。
【０１０６】
例えば、初期状態から１２分後、すなわち、ｔ＝１２とした場合の昼光色Ｐおよび電球色Ｒは、次式の如く算出される
【０１０７】
【数５】
2011233292.tif 000007
【０１０８】
当該式に基づいて、全体の調光率を線形に変化させるとともに、電球色から昼光色に自然に変化させることが可能となる。すなわち、電球色から昼光色に変化するにあたり、電球色と昼光色が混ざった中間色に変化して最終的に昼光色に変化するためヒトに違和感あるいは不快感を生じさせることなく調光率を変化させることが可能となり、快適かつ自然な光環境を実現することが可能となる。
【０１０９】
また、本実施の形態に従う光環境制御モードにおいては、期間ｔＣにおいて、調光率１００％の昼光色から調光率１００％の電球色に徐々に調整する。
【０１１０】
図１０は、期間ｔＣにおける本発明の実施の形態に従う昼光色および電球色の調光率のグラフを説明する図である。
【０１１１】
図１０を参照して、ここでは、昼光色の調光率、電球色の調光率、全体の調光率の変化が示されている。
【０１１２】
期間ｔＣにおいて、初期状態においては、電球色の調光率は１００％であり、昼光色の調光率は０％である。したがって、全体の調光率は１００％に設定されている場合が示されている。
【０１１３】
上述した方式と同様に昼光色および電球色の調光率の式を算出すると次式（８），（９）で表される。
【０１１４】
【数６】
2011233292.tif 000008
【０１１５】
当該式（８），（９）に基づいて昼光色および電球色の調光率Ｐ，Ｑを設定することが可能となる。
【０１１６】
当該式に基づいて、全体の調光率を維持しつつ電球色から昼光色に自然に変化させることが可能となる。すなわち、昼光色から電球色に変化するにあたり、昼光色と電球色が混ざった中間色に変化して最終的に電球色に変化するためヒトに違和感あるいは不快感を生じさせることなく色調を変化させることが可能となり、快適かつ自然な光環境を実現することが可能となる。
【０１１７】
また、本実施の形態に従う光環境制御モードにおいては、期間ｔＥにおいて、調光率１００％の電球色を調光率３０％の電球色に徐々に調整する。
【０１１８】
図１１は、期間ｔＥにおける本発明の実施の形態に従う電球色の調光率のグラフを説明する図である。
【０１１９】
図１１を参照して、期間ｔＥにおいて、初期状態においては、電球色の調光率は１００％であり、全体の調光率は１００％に設定されている。
【０１２０】
上述した方式と同様に電球色の調光率の式を算出すると次式（１０）で表される。
【０１２１】
【数７】
2011233292.tif 000009
【０１２２】
当該式（１０）に基づいて電球色の調光率Ｑを設定することが可能となる。
当該式に基づいて、電球色の調光率Ｑを徐々に変化させてヒトに違和感あるいは不快感を生じさせることなく快適な光環境を実現することが可能となる。
【０１２３】
なお、当該電球色の調光率の設定の方式は一例であり、例えば、次のような変化率で調整するようにすることも可能である。
【０１２４】
図１２は、期間ｔＥにおける本発明の実施の形態に従う電球色の調光率の別のグラフを説明する図である。
【０１２５】
図１２（Ａ）を参照して、本例においては、縦軸および横軸が対数である両対数グラフが示されている。縦軸の単位は、０．１％である。横軸の単位は分である。
【０１２６】
当該両対数グラフにおいて、調光率と時間との関係が線形となるように設定される場合が示されている。具体的には、両対数グラフにおいて期間６０分の間に調光率１００％が調光率３０％に調整される場合が示されている。
【０１２７】
図１２（Ｂ）を参照して、上記図１２（Ａ）の両対数グラフを通常のグラフとした場合が示されている。
【０１２８】
当該方式により電球色の調光率Ｑを調整することにより、ヒトに違和感あるいは不快感をさらに生じさせることなく調光率を変化させることが可能となり、快適かつ自然な光環境を実現することが可能となる。
【０１２９】
図１３は、本発明の実施の形態に従う照明装置１のメインフローを説明する図である。
当該メインフローは電源スイッチがオンされることで開始され、ＣＰＵ２２がメモリ２９に格納されたプログラムを読み込むことにより実行されるものとする。
【０１３０】
電源スイッチがオンされてフローが開始されると、図１３を参照して、まず、ＣＰＵ２２は、ＰＷＭ制御回路２３に対して照明部３０における点灯制御を指示する（ステップＳ４）。これにより部屋内に照明部３０からの光が照射される。なお、ステップＳ４でＣＰＵ２２は、後述する各モードの処理が行なわれた後の場合にはそのモードで設定された調光率、色調での点灯制御を指示する。そうでない場合、つまり、後述する各モードの処理が行なわれておらず、電源スイッチがオンされた直後や後述する光環境制御モードが終了した場合には通常の点灯制御として、予め設定されている、ＬＥＤモジュール３１を用いた昼光色の光を１００％の調光率で照射する点灯制御を指示するものとする。
【０１３１】
次に、ＣＰＵ２２は、入力指示があったかどうかを判断する（ステップＳ６）。ＣＰＵ２２は、ステップＳ６において、入力指示があったと判断した場合（ステップＳ６においてＹＥＳ）には、次に、点灯調整指示の入力があったかどうかを判断する（ステップＳ８）。具体的には、リモコン５０に設けられた調光率を調整するための「アップ」ボタン５７Ａまたは「ダウン」ボタン５７Ｂの入力指示あるいは、色調を調整するための「電球色」ボタン５９Ａまたは「昼光色」ボタン５９Ｂの入力指示があったかどうかを判断する。
【０１３２】
ＣＰＵ２２は、点灯調整指示の入力があったと判断した場合（ステップＳ８においてＹＥＳ）には、点灯調整モードに移行する（ステップＳ１０）。点灯調整モードの処理については後述する。
【０１３３】
一方、ＣＰＵ２２は、点灯調整指示の入力がなかったと判断した場合（ステップＳ８においてＮＯ）には、次に光環境制御の指示入力があったかどうかを判断する（ステップＳ１２）。具体的には、ＣＰＵ２２は、リモコン５０に設けられた「光環境制御」ボタン５８の入力指示があったかどうかを判断する。
【０１３４】
ＣＰＵ２２は、光環境制御の指示入力があったと判断した場合（ステップＳ１２においてＹＥＳ）には、光環境制御モードに移行する（ステップＳ１４）。光環境制御モードの処理については後述する。
【０１３５】
一方、ＣＰＵ２２は、光環境制御の指示入力が無かったと判断した場合（ステップＳ１２においてＮＯ）には、次に、我が家流設定の指示入力があったかどうかを判断する（ステップＳ１６）。
【０１３６】
具体的には、ＣＰＵ２２は、リモコン５０に設けられた「我が家流」設定ボタン６２の入力指示があったかどうかを判断する。
【０１３７】
ＣＰＵ２２は、我が家流設定の指示入力があったと判断した場合（ステップＳ１６においてＹＥＳ）には、我が家流設定モードに移行する（ステップＳ１８）。我が家流設定モードの処理については後述する。
【０１３８】
一方、ＣＰＵ２２は、我が家流設定の指示入力が無かったと判断した場合（ステップＳ１６においてＮＯ）には、次に、エコ点灯の指示入力があったかどうかを判断する（ステップＳ２０）。具体的には、ＣＰＵ２２は、リモコン５０に設けられた「エコ点灯」ボタン６０の入力指示があったかどうかを判断する。
【０１３９】
ＣＰＵ２２は、エコ点灯の指示入力があったと判断した場合（ステップＳ２０においてＹＥＳ）には、エコ点灯モードに移行する（ステップＳ２２）。エコ点灯モードの処理については後述する。
【０１４０】
ステップＳ２０において、エコ点灯の指示入力が無かったと判断した場合（ステップＳ２０においてＮＯ）には、その他の処理を実行する（ステップＳ２４）。そして、再び、ステップＳ４に戻る。
【０１４１】
＜点灯調整モード＞
図１４は、本発明の実施の形態に従う点灯調整モードの処理を説明するフロー図である。
【０１４２】
当該フローは、ＣＰＵ２２がメモリ２９に格納されたプログラムを読み込むことにより実行されるものとする。
【０１４３】
図１４を参照して、まず、ＣＰＵ２２は、「アップ」ボタン５７Ａまたは「ダウン」ボタン５７Ｂの入力指示であったかどうかを判断する（ステップＳ１００）。「アップ」ボタン５７Ａまたは「ダウン」ボタン５７Ｂの入力指示でなかったと判断した場合（ステップＳ１００においてＮＯ）には、ステップＳ１１０に進む。
【０１４４】
一方、ＣＰＵ２２は、「アップ」ボタン５７Ａまたは「ダウン」ボタン５７Ｂの入力指示であったと判断した場合（ステップＳ１００においてＹＥＳ）には、次に、押下されたボタンが「アップ」ボタン５７Ａであるか「ダウン」ボタン５７Ｂであるかを特定する（ステップＳ１０２）。
【０１４５】
押下されたボタンが「アップ」ボタン５７Ａである場合（ステップＳ１０２においてＹＥＳ）には、ＣＰＵ２２は、現在の調光率を予め規定された調光率分増加させる（ステップＳ１０４）。押下されたボタンが「ダウン」ボタン５７Ｂである場合（ステップＳ１０２においてＮＯ）には、ＣＰＵ２２は、現在の調光率を予め規定された調光率分減少させる（ステップＳ１０６）。そして、処理を終了する（リターン）。すなわち、再び、ステップＳ６に戻る。
【０１４６】
具体的には、全点灯（調光率１００％）の状態でユーザが「ダウン」ボタン５７Ｂを押下した場合には、半灯（調光率５０％）に設定される。半灯（調光率５０％）の状態で「ダウン」ボタン５７Ｂを押下した場合には、微灯（調光率３０％）に設定される。また、微灯（調光率３０％）の状態でユーザが「アップ」ボタン５７Ａを押下した場合には、半灯（調光率５０％）に設定される。半灯（調光率５０％）の状態で「アップ」ボタン５７Ａを押下した場合には、全点灯（調光率１００％）に設定される。
【０１４７】
ステップＳ１１０において、ＣＰＵ２２は、「アップ」ボタン５７Ａまたは「ダウン」ボタン５７Ｂの入力指示でなかったと判断した場合（ステップＳ１００においてＮＯ）には、「電球色」ボタン５９Ａまたは「昼光色」ボタン５９Ｂの入力指示であったかどうかを判断する（ステップＳ１１０）。
【０１４８】
ＣＰＵ２２は、「電球色」ボタン５９Ａまたは「昼光色」ボタン５９Ｂの入力指示であったと判断した場合（ステップＳ１１０においてＹＥＳ）には、次に、押下されたボタンが「電球色」ボタン５９Ａであるか「昼光色」ボタン５９Ｂであるかを特定する（ステップＳ１１２）。押下されたボタンが「電球色」ボタン５９Ａである場合（ステップＳ１１２においてＹＥＳ）には、ＣＰＵ２２は、調光率は維持しつつ現在の色調の電球側の調光率を予め規定された調光率分増加させ、昼光色側の調光率を予め規定された調光率分減少させる（ステップＳ１１４）。押下されたボタンが「昼光色」ボタン５９Ｂである場合（ステップＳ１１２においてＮＯ）には、ＣＰＵ２２は、調光率は維持しつつ現在の色調の電球側の調光率を予め規定された調光率分減少させ、昼光色側の調光率を予め規定された調光率分増加させる（ステップＳ１１６）。そして、処理を終了する（リターン）。すなわち、再び、ステップＳ６に戻る。
【０１４９】
具体的には、昼光色の全灯（調光率１００％）である「昼光色」の状態でユーザが「電球色」ボタン５９Ａを押下した場合には、「半昼光色」に設定される。「半昼光色」の状態で「電球色」ボタン５９Ａを押下した場合には、「半電球色」に設定される。「半電球色」の状態で「電球色」ボタン５９Ａを押下した場合には、「電球色」に設定される。また、「電球色」の状態でユーザが「昼光色」ボタン５９Ｂを押下した場合には、「半電球色」に設定される。「半電球色」の状態で「昼光色」ボタン５９Ｂを押下した場合には、「半昼光色」に設定される。「半昼光色」の状態で「昼光色」ボタン５９Ｂを押下した場合には、「昼光色」に設定される。
【０１５０】
＜光環境制御モード＞
図１５は、本発明の実施の形態に従う光環境制御モードのフローを説明する図である。
【０１５１】
当該フローは、ＣＰＵ２２がメモリ２９に格納されたプログラムを読み込むことにより実行されるものとする。
【０１５２】
図１５を参照して、ＣＰＵ２２は、我が家流設定が有るかどうか判断する（ステップＳ３０）。
【０１５３】
ステップＳ３０において、ＣＰＵ２２は、我が家流設定が有ると判断した場合には、我が家流情報を取得する（ステップＳ３２）。なお、我が家流情報については後述する。
【０１５４】
ステップＳ３０において、ＣＰＵ２２は、我が家流設定が無いと判断した場合には、デフォルト値を取得する（ステップＳ３４）。
【０１５５】
そして、次に、ＣＰＵ２２は、我が家流情報あるいはデフォルト値に基づいて光環境制御動作期間を設定する（ステップＳ３６）。具体的には、上述した起床時刻、夕食時刻、就寝時刻に従って期間ｔＡ〜ｔＦを設定する。
【０１５６】
そして、ＣＰＵ２２は、現在時刻を確認する（ステップＳ３８）。
そして、次に、ＣＰＵ２２は、現在時刻に従って、現在時刻が期間ｔＡ〜ｔＦのいずれの期間内であるかどうかを判断する（ステップＳ４０）。
【０１５７】
ステップＳ４０において、ＣＰＵ２２は、期間ｔＡ〜ｔＦのいずれの期間内であるかを判断して、期間ｔＢ，ｔＤ，ｔＦの期間内である場合には、ステップＳ４２に進む。
【０１５８】
一方、ステップＳ４０において、ＣＰＵ２２は、期間ｔＡ〜ｔＦのいずれの期間内であるかを判断して、期間ｔＡ，ｔＣ，ｔＥの期間内である場合には、ステップＳ５２に進む。
【０１５９】
まず、ＣＰＵ２２は、現在時刻が期間ｔＢ，ｔＤ，ｔＦの期間内であると判断した場合には、対応する期間の動作に従う調光率に設定する（ステップＳ４２）。
【０１６０】
そして、次に、ＣＰＵ２２は、対応する期間の残り時間が１０分未満であるかどうかを判断する（ステップＳ４４）。
【０１６１】
ステップＳ４４において、１０分未満であると判断した場合には、対応する期間の動作に従う調光率に１０分間設定する（ステップＳ４８）。
【０１６２】
そして、１０分が経過したかどうかを判断する（ステップＳ５０）。１０分が経過した場合には、次のステップに進む。
【０１６３】
すなわち、光環境制御モードを開始する現在時刻が、光環境制御動作期間の対応する期間の動作が終了する間際であるような場合、本例においては、１０分未満であるような場合には、１０分は、光環境制御動作期間の対応する期間の動作を継続する方式としている。当該方式により、光環境制御動作期間の対応する期間の次の期間の動作がすぐに実行されてユーザに違和感や不快感を生じさせないようにすることが可能である。なお、本例においては、一例として１０分を基準に設定しているが、特にこれに限られず、ユーザの好みに合わせて調整するようにしても良い。
【０１６４】
ステップＳ４４において、ＣＰＵ２２は、対応する期間の残り時間が１０分未満でないと判断した場合（ステップＳ４４においてＮＯ）には、期間が終了したかどうかを判断する（ステップＳ４６）。
【０１６５】
ステップＳ４６において、期間が終了した場合には、次のステップに進む。
再び、ステップＳ４０において、ＣＰＵ２２は、現在時刻が期間ｔＡ、ｔＣ，ｔＦの期間内であると判断した場合には、期間ｔＡ，ｔＣ，ｔＦの開示時刻から１０分未満であるかどうかを判断する（ステップＳ５２）。
【０１６６】
そして、ステップＳ５２において、１０分未満であると判断した場合（ステップＳ５２においてＹＥＳ）には、前の期間の動作に従う調光率に１０分間設定する（ステップＳ５４）。
【０１６７】
そして、次に１０分が経過したかどうかを判断する（ステップＳ５６）。
ステップＳ５６において、１０分が経過したと判断した場合には、対応する期間の動作に従う調光率に設定する（ステップＳ５８）。
【０１６８】
そして、期間が満了したかどうかを判断する（ステップＳ６０）期間が満了した場合には、次のステップＳ５２に進む。
【０１６９】
すなわち、光環境制御モードを開始した現在時刻が、光環境制御動作期間において、調光率および／または色調を変化させる期間に対応する期間であるような場合（期間ｔＡ，ｔＣ，ｔＥの期間）には、期間の開始時刻から１０分未満であれば、ユーザに違和感や不快感を生じさせることなく当該動作を実行する。
【０１７０】
具体的には、まず、前の期間の動作に従う調光率に１０分間設定し、そして、１０分後に、調光率および／または色調を変化させる対応する期間の動作を開始する。当該方式により、光環境制御動作期間において、調光率および／または色調を変化させる対応する期間の動作がすぐに実行されてユーザに違和感や不快感を生じさせないようにすることが可能である。なお、本例においては、一例として１０分を基準に設定しているが、特にこれに限られず、ユーザの好みに合わせて調整するようにしても良い。
【０１７１】
一方、ステップＳ５２において、ＣＰＵ２２は、１０分未満でないと判断した場合には、次のステップに進む。
【０１７２】
すなわち、光環境制御モードを開始した現在時刻が、光環境制御動作期間において、調光率および／または色調を変化させる期間に対応する期間であるような場合（期間ｔＡ，ｔＣ，ｔＥの期間）には、期間の開始時刻から１０分以上であれば、次の期間の動作に従う調光率に設定する。当該動作により、調光率および／または色調を変化させる対応する期間の動作がすぐに実行されてユーザに違和感や不快感を生じさせることを回避することができる。
【０１７３】
そして、ステップＳ６２において、次の期間の動作に従う調光率に設定する（ステップＳ６２）。
【０１７４】
そして、期間が終了したかどうかを判断する（ステップＳ６４）。期間が終了していると判断した場合（ステップＳ６２においてＹＥＳ）には、ステップＳ６２に戻り、さらに次の期間の動作に従う調光率に設定する。
【０１７５】
なお、当該処理を繰り返すことにより一例として、例えば、期間ｔＡ→ｔＢ→ｔＣ→ｔＤ→ｔＥ→ｔＦ→ｔＡの動作が繰り返されて２４時間のヒトの生活リズムに合わせた調光を実行することが可能となる。
【０１７６】
なお、光環境制御モードを終了する場合には、ユーザがリモコン５０の光環境制御ボタンを再度押下することにより割込み処理により光環境制御モードが停止されて、図１３のステップＳ４に戻り、通常の点灯が実行されるものとする。
【０１７７】
また、ユーザが電源スイッチを操作して、電源スイッチをオフした場合には、電源の供給が停止するため光環境制御モードも終了する。なお、再度、ユーザが電源スイッチをオンした場合には、図１３のステップＳ４に戻り、通常の点灯が実行されるものとする。
【０１７８】
＜我が家流設定＞
次に、我が家流設定について説明する。
【０１７９】
我が家流設定は、上述した光環境制御モードにおける起床時刻、夕食時刻、就寝時刻をユーザの個々の生活リズムに合わせた時刻に設定するモードである。
【０１８０】
ユーザがリモコン５０の「我が家流」設定ボタン６２を押下することにより、我が家流設定モードに移行する。
【０１８１】
図１６は、本発明の実施の形態に従う我が家流設定における起床時刻、夕食時刻、就寝時刻の設定時刻について説明する図である。
【０１８２】
図１６を参照して、ここでは、起床時刻、夕食時刻、就寝時刻についてそれぞれ０時００分〜２３時５９分の間で自由に設定することが可能である場合が示されている。
【０１８３】
なお、起床時刻については、就寝時刻から１時間５９分以内の時刻設定は受け付けないように設定される。
【０１８４】
また、夕食時刻については、起床時刻から５９分後以内の時刻設定は受け付けないように設定される。なお、受け付けない場合には、初期のプリセットされた時刻に設定されるものとする。
【０１８５】
以下、具体的に我が家流設定の流れについて説明する。
ユーザがリモコン５０の「我が家流」設定ボタン６２を押下すると、リモコン５０側では設定画面が表示される。具体的には、ＣＰＵ８６がメモリ８０に格納されたプログラムを読み出すことにより以下に従う設定画面が液晶パネル５２に表示される。
【０１８６】
図１７は、本発明の実施の形態に従うリモコン５０の液晶パネル５２における我が家流設定の画面について説明する図である。
【０１８７】
図１７（Ａ）を参照して、「我が家流」設定ボタン６２を押下すると、まず、起床時刻の設定が可能な画面が液晶パネル５２に表示される。ユーザは、「＋／−」ボタン７４を操作することにより起床時刻を任意の値に設定することが可能である。なお、本例においては、一例として、液晶パネル５２に「起床時刻を設定して下さい。」の表示とともに、「＋／−」ボタン７４を操作することにより起床時刻のデフォルト値として設定された「６：３０」から「７：００」に変更された場合が示されている。そして、「ＯＫの場合には、「我が家流」設定ボタンを押して下さい。」との案内表示がなされている場合が示されている。リモコン５０は、ユーザが「我が家流」設定ボタンを押下することに従って当該液晶パネル５２に表示されている起床時刻情報（ここでは７：００）を照明装置１に出力する。そして、次に、夕食時刻の設定に移行する。
【０１８８】
図１７（Ｂ）を参照して、夕食時刻の設定が可能な画面が液晶パネル５２に表示される。ユーザは、「＋／−」ボタン７４を操作することにより夕食時刻を任意の値に設定することが可能である。なお、本例においては、一例として、液晶パネル５２に「夕食時刻を設定して下さい。」の表示とともに、「＋／−」ボタン７４を操作することにより夕食時刻のデフォルト値として設定された「１９：００」から「１９：３０」に変更された場合が示されている。そして、「ＯＫの場合には、「我が家流」設定ボタンを押して下さい。」との案内表示がなされている場合が示されている。リモコン５０は、ユーザが「我が家流」設定ボタンを押下することに従って当該液晶パネル５２に表示されている夕食時刻情報（ここでは１９：３０）を照明装置１に出力する。そして、次に、就寝時刻の設定に移行する。
【０１８９】
図１７（Ｃ）を参照して、就寝時刻の設定が可能な画面が液晶パネル５２に表示される。ユーザは、「＋／−」ボタン７４を操作することにより就寝時刻を任意の値に設定することが可能である。なお、本例においては、一例として、液晶パネル５２に「就寝時刻を設定して下さい。」の表示とともに、「＋／−」ボタン７４を操作することにより就寝時刻のデフォルト値として設定された「２３：００」から「２３：３０」に変更された場合が示されている。そして、「ＯＫの場合には、「我が家流」設定ボタンを押して下さい。」との案内表示がなされている場合が示されている。リモコン５０は、ユーザが「我が家流」設定ボタンを押下することに従って当該液晶パネル５２に表示されている就寝時刻情報（ここでは２３：３０）を照明装置１に出力する。そして、次に、夜間調光率の設定に移行する。本例においては、我が家流設定において、起床時刻、夕食時刻、就寝時刻とともに、夜間動作における夜間調光率も設定可能とされている。
【０１９０】
図１７（Ｄ）を参照して、夜間調光率の設定が可能な画面が液晶パネル５２に表示される。ユーザは、「＋／−」ボタン７４を操作することにより、夜間調光率の数値を任意の値に設定することが可能である。また、当該設定の際、照明装置１のＣＰＵ２２は、ＰＷＭ制御回路２３に対して照明部３０から発光される調光率が液晶パネル５２に表示されている調光率となるように制御する。具体的には、まず、照明装置１の調光率は３０％に設定される。そして、リモコン５０からの「＋／−」ボタン７４の入力に従って調光率の上昇／下降の指示が照明装置１に出力される。照明装置１のＣＰＵ２２は、調光率の上昇／下降の指示に従ってＰＷＭ制御回路２３に対して照明部３０から発光される調光率を調整する。
【０１９１】
なお、本例においては、一例として、液晶パネル５２に「夜間調光率を設定して下さい。」の表示とともに、「＋／−」ボタン７４を操作することにより夜間調光率のデフォルト値として設定された「３０％」が示されている。そして、「ＯＫの場合には、「我が家流」設定ボタンを押して下さい。」との案内表示がなされている場合が示されている。リモコン５０は、ユーザが「我が家流」設定ボタンを押下することに従って、当該液晶パネル５２に最終的に表示されている夜間調光率情報（ここでは３０％）を照明装置１に出力する。
【０１９２】
図１８は、本発明の実施の形態に従う我が家流設定のフローを説明する図である。
当該フローは、ＣＰＵ２２がメモリ２９に格納されたプログラムを読み込むことにより実行されるものとする。
【０１９３】
図１８を参照して、我が家流設定モードに移行した場合に、ＣＰＵ２２は、起床時刻情報の入力があるかどうか判断する（ステップＳ１２０）。具体的には、図１７で説明したリモコン５０からの起床時刻情報を受信したかどうかに基づいて判断する。
【０１９４】
ステップＳ１２０において、ＣＰＵ２２は、起床時刻情報の入力があると判断した場合（ステップＳ１２０においてＹＥＳ）には、入力された内容に従って起床時刻を設定する（ステップＳ１２２）。そして、再び、ステップＳ１２０に戻る。
【０１９５】
次に、ステップＳ１２０において、ＣＰＵ２２は、起床時刻情報の入力がなかったと判断した場合（ステップＳ１２０においてＮＯ）には、次に夕食時刻情報の入力があるかどうかを判断する（ステップＳ１２４）。具体的には、図１７で説明したリモコン５０からの夕食時刻情報を受信したかどうかに基づいて判断する。
【０１９６】
ステップＳ１２４において、ＣＰＵ２２は、夕食時刻情報の入力があると判断した場合（ステップＳ１２４においてＹＥＳ）には、入力された内容に従って夕食時刻を設定する（ステップＳ１２６）。そして、再び、ステップＳ１２０に戻る。
【０１９７】
次に、ステップＳ１２４において、ＣＰＵ２２は、時刻情報の入力がなかったと判断した場合（ステップＳ１２４においてＮＯ）には、次に就寝時刻情報の入力があるかどうかを判断する（ステップＳ１２８）。具体的には、図１７で説明したリモコン５０からの就寝時刻情報を受信したかどうかに基づいて判断する。
【０１９８】
ステップＳ１２８において、ＣＰＵ２２は、就寝時刻情報の入力があると判断した場合（ステップＳ１２８においてＹＥＳ）には、入力された内容に従って就寝時刻を設定する（ステップＳ１３０）。
【０１９９】
そして、ＣＰＵ２２は、調光率を３０％に設定する（ステップＳ１７２）。具体的には、ＣＰＵ２２は、ＰＷＭ制御回路２３に対してＬＥＤモジュール３２の発光に従う調光率が３０％となるように制御する。当該動作により、ユーザは、調光率３０％の夜間調光率の明るさを認識することが可能となる。
【０２００】
そして、ステップＳ１２０に戻る。
次に、ステップＳ１２８において、ＣＰＵ２２は、就寝時刻情報の入力がないと判断した場合（ステップＳ１２８においてＮＯ）には、「＋／−」ボタンの入力指示が有るかどうかを判断する（ステップＳ１３４）。
【０２０１】
ステップＳ１３４において、「＋／−」ボタンの入力指示があると判断した場合（ステップＳ１３４においてＹＥＳ）には、「＋／−」ボタンの入力指示に従って調光率を調整する（ステップＳ１３６）。
【０２０２】
そして、再びステップＳ１２０に戻る。当該動作により、ユーザは、「＋／−」ボタンの入力指示に従って調光率の調整に従う夜間調光率の明るさを認識することが可能となる。
【０２０３】
そして、ユーザが任意に「＋／−」ボタンを操作することにより所望の明るさに従う夜間調光率に設定することが可能となる。
【０２０４】
ステップＳ１３４において、「＋／−」ボタンの入力指示が無いと判断した場合（ステップＳ１３４においてＮＯ）には、夜間調光率情報の入力があるかどうかを判断する（ステップＳ１３８）。具体的には、図１７で説明したリモコン５０からの夜間調光率情報を受信したかどうかに基づいて判断する。
【０２０５】
ステップＳ１３８において、夜間調光率情報の入力があると判断した場合（ステップＳ１３８においてＹＥＳ）には、入力された内容に従って夜間調光率を設定する（ステップＳ１４０）。そして、処理を終了する（リターン）。
【０２０６】
一方、ステップＳ１３８において、夜間調光率情報の入力がないと判断した場合（ステップＳ１３８においてＮＯ）には、ステップＳ１２０に戻る。
【０２０７】
当該動作により、光環境制御モードにおける我が家流情報である起床時刻情報、夕食時刻情報、就寝時刻情報および夜間調光率情報を設定することが可能となる。当該我が家流情報は、メモリ２９に格納されるものとする。そして、我が家流情報がメモリ２９に格納されることにより図１５のステップＳ３０において我が家流設定有りと判断される。
【０２０８】
そして、光環境制御モードにおいて、図１５で説明したステップＳ３６において、メモリ２９に格納された我が家流情報である、我が家流設定に関する起床時刻、夕食時刻、就寝時刻に基づいて光環境制御動作期間が設定されて、我が家流設定に従う光環境制御モードを実行することが可能となる。また、夜間調光率情報に従う夜間調光率に設定することが可能となる。
【０２０９】
したがって、各ヒトの個々の生活リズムに合わせた調光および調色を実行して、快適な光環境を実現することが可能となる。
【０２１０】
なお、上述した光環境制御モードが実行されている場合においても、ユーザがリモコン５０の「我が家流」設定ボタン６２を押下することにより、割込み処理により、我が家流設定モードに移行する。そして、我が家流設定モードが終了した場合には、再び、図１５における光環境制御モードの処理が再度実行される。当該処理により、新たに設定された我が家流情報に基づいて、光環境制御モードが実行され、快適な光環境を実現することが可能となる。
【０２１１】
なお、本例においては、我が家流設定モードにおいて、３つの時刻と、夜間調光率を設定する場合について説明したが、特にこれに限られず、図８に示されるそれぞれ期間および動作をユーザの好みに合わせて設定可能とするようにしても良い。
【０２１２】
＜エコ点灯モード＞
次に、エコ点灯モードについて説明する。
【０２１３】
エコ点灯モードでは、点灯開始から一定の時間で、点灯開始時の輝度（照明部３０からの発光出力）に対して一定の割合で減光する。すなわち、点灯開始時には設定された輝度で点灯する。なお、「点灯開始時」にはユーザの操作で明るさ変更された場合も含まれる。
【０２１４】
点灯開始時または調光率や色調の変更時から一定の時間としてたとえば１０分間が設定され、一定の割合としてその時点の輝度である初期の調光値Ｘの２０％が設定されていると、点灯開始時から１０分間で調光値が初期の調光値Ｘの８０％となるまで減光する。
【０２１５】
図１９は、本発明の実施の形態に従うエコ点灯モードにおける調光率のグラフを説明する図である。
【０２１６】
図１９（Ａ）を参照して、本例においては、縦軸および横軸が対数である両対数グラフが示されている。縦軸の単位は、０．１％である。横軸の単位は秒である。
【０２１７】
当該両対数グラフにおいて、調光率と時間との関係が線形となるように減光される場合が示されている。具体的には、両対数グラフにおいて期間１０分（６００秒）の間に調光率１００％が調光率８０％に調整される場合が示されている。
【０２１８】
図１９（Ｂ）を参照して、上記図１９（Ａ）の両対数グラフを通常のグラフとした場合が示されている。
【０２１９】
当該方式により減光することによりヒトに違和感あるいは不快感をさらに生じさせることなく減光させることが可能となり快適かつ自然な光環境を実現しつつ省エネを図ることが可能となる。
【０２２０】
図２０は、本発明の実施の形態に従うエコ点灯モードの処理を説明するフロー図である。ＣＰＵ２２は、図２０に表わされた処理を所定間隔（たとえば１秒間隔）の割込み処理で実行する。
【０２２１】
図２０を参照して、まず、ＣＰＵ２２は、点灯を開始するか否かを判断する（ステップＳ１６０）。点灯の開始でなかったと判断した場合（ステップＳ１６０においてＮＯ）には、ステップＳ１６６に進む。
【０２２２】
一方、ＣＰＵ２２は、点灯開始と判断した場合（ステップＳ１６０においてＹＥＳ）には、調光率を１００％に設定する（ステップＳ１６２）。具体的には、ＣＰＵ２２は、ＰＷＭ制御回路２３に対してＬＥＤモジュール３１および／またはＬＥＤモジュール３２の発光に従う調光率が１００％となるように制御する。当該制御により、点灯開始時にユーザは、調光率１００％の明るさを認識することが可能となる。
【０２２３】
次に、ＣＰＵ２２は、減光時間を計時するための減光タイマを所定時間（本例では６００秒）にセットし、減光目標とする調光率（本例では８０％）を決定して処理を終了する（リターン）。すなわち、再び、ステップＳ４に戻る。
【０２２４】
一方、ステップＳ１６０において、点灯の開始でなかったと判断した場合（ステップＳ１６０においてＮＯ）には、ＣＰＵ２２は減光タイマが０かどうかを判断する（ステップＳ１６６）。減光タイマが０であると判断した場合（ステップＳ１６６においてＮＯ）には、処理を終了する（リターン）。
【０２２５】
ステップＳ１６６において減光タイマが０でないと判断した場合（ステップＳ１６６においてＹＥＳ）には、ＣＰＵ２２は減光処理（ステップＳ１６８）を実行する。
【０２２６】
図２１は、ステップＳ１６８の減光処理のサブルーチンである。
図２１を参照して、減光処理が開始すると、ＣＰＵ２２は、図１９に表わされた調光率と時間との関係を示す関係式にその時点での減光タイマを変数として代入することによって、その時点で減光する値（調光率）をＤＯＷＮ値として算出する（ステップＳ１８０）。
【０２２７】
そして、ＣＰＵ２２は、現在の出力値（調光率）から算出したＤＯＷＮ値を差し引いた値を調光率として設定する（ステップＳ１８２）。具体的には、ＣＰＵ２２は、ＰＷＭ制御回路２３に対してＬＥＤモジュール３１および／またはＬＥＤモジュール３２の発光に従う調光率が算出された値となるように制御する。
【０２２８】
その後、ＣＰＵ２２は、減光タイマを１デクリメントして（ステップＳ１８４）、減光処理を終了する（リターン）。
【０２２９】
上の例は点灯開始からの動作を表わすものであるが、調光率や色調の変更時でも同様の動作を行なうものとする。
【０２３０】
当該動作により、エコ点灯モードでは、点灯開始から一定の時間で、点灯開始時または調光率や色調の変更時の輝度に対する所定割合の輝度まで、図１９に表わされたように徐々に減光される。なお、本例では図１９に表わされたように縦軸および横軸が対数である両対数グラフにおいて調光率が時間経過に対して線形に変化させているが、調光率を時間経過に対して線形に変化させてもよい。これにより、ヒトに違和感あるいは不快感を生じさせることなく調光率を変化させることが可能となり快適かつ自然な光環境を実現しつつ省エネを図ることが可能となる。
【０２３１】
エコ点灯モードは、ユーザが「エコ点灯」ボタン６０を押下することにより点灯制御指示がリモコン５０から出力される。照明装置１のＣＰＵ２２は、リモコン５０からの点灯制御指示の入力を受けて、ＰＷＭ制御回路２３に対して照明部３０への点灯制御を開始するように指示する。ここで、「エコ点灯」ボタン６０の押下すなわち、リモコン５０からの点灯制御指示の入力に従って、「エコ点灯モード」→「通常モード」→「エコ点灯モード」→・・・を繰り返すものとする。すなわち、エコ点灯モード中にリモコン５０からの点灯制御指示が入力されると、照明装置１のＣＰＵ２２はエコ点灯モードを解除する。このとき、ＣＰＵ２２は、ＰＷＭ制御回路２３に対して点灯開始時の輝度となるように制御する。
【０２３２】
なお、エコ点灯モードは、光環境制御モードと組み合わせることができる。この場合、光環境制御モードの期間ｔＡ〜ｔｆの６つの期間でのそれぞれの点灯制御において、ＣＰＵ２２は、当該期間開始から一定の時間で、開始時の輝度に対する所定割合の輝度まで徐々に減光する。
【０２３３】
また、本発明にかかる光源はＬＥＤに限定されず、蛍光灯、ＥＬ（Electro-Luminescence）等の光源であってもよい。
【０２３４】
なお、コンピュータを機能させて、上述のフローで説明したような制御を実行させるプログラムを提供することもできる。このようなプログラムは、コンピュータに付属するフレキシブルディスク、ＣＤ−ＲＯＭ（Compact Disk-Read Only Memory）、ＲＯＭ（Read Only Memory）、ＲＡＭ（Random Access Memory）およびメモリカードなどの一時的でないコンピュータ読取り可能な記録媒体にて記録させて、プログラム製品として提供することもできる。あるいは、コンピュータに内蔵するハードディスクなどの記録媒体にて記録させて、プログラムを提供することもできる。また、ネットワークを介したダウンロードによって、プログラムを提供することもできる。
【０２３５】
なお、プログラムは、コンピュータのオペレーティングシステム（ＯＳ）の一部として提供されるプログラムモジュールのうち、必要なモジュールを所定の配列で所定のタイミングで呼出して処理を実行させるものであってもよい。その場合、プログラム自体には上記モジュールが含まれずＯＳと協働して処理が実行される。このようなモジュールを含まないプログラムも、本発明にかかるプログラムに含まれ得る。
【０２３６】
また、本発明にかかるプログラムは他のプログラムの一部に組込まれて提供されるものであってもよい。その場合にも、プログラム自体には上記他のプログラムに含まれるモジュールが含まれず、他のプログラムと協働して処理が実行される。このような他のプログラムに組込まれたプログラムも、本発明にかかるプログラムに含まれ得る。
【０２３７】
提供されるプログラム製品は、ハードディスクなどのプログラム格納部にインストールされて実行される。なお、プログラム製品は、プログラム自体と、プログラムが記録された記録媒体とを含む。
【０２３８】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【０２３９】
１  照明装置、２  シャーシ、８，９  カバー、１０，５１  電源回路、２０  照明制御部、２１，８１  制御電源供給回路、２３  制御回路、２５  信号受信部、２６，８３  入力部、２７，８５  水晶発振子、２８  照度センサ、２９，８０  メモリ、３０  照明部、３１，３１，３２，３２  モジュール、３３，３４  スイッチ、４０  インタフェース部、４１  赤外線受光部、５０  リモコン、５２  液晶パネル、５３，５４，５７Ａ，５７Ｂ，５８，５９Ａ，５９Ｂ，６０，６２，６４，６６，６８，７０，７２，７４，７６  ボタン、５６  インタフェース部、５５  リモコン制御部、８２  液晶駆動回路、８４  信号送信部、８７  赤外線投光部。
【図１】
2011233292.tif 000010
【図２】
2011233292.tif 000011
【図３】
2011233292.tif 000012
【図４】
2011233292.tif 000013
【図５】
2011233292.tif 000014
【図６】
2011233292.tif 000015
【図７】
2011233292.tif 000016
【図８】
2011233292.tif 000017
【図９】
2011233292.tif 000018
【図１０】
2011233292.tif 000019
【図１１】
2011233292.tif 000020
【図１２】
2011233292.tif 000021
【図１３】
2011233292.tif 000022
【図１４】
2011233292.tif 000023
【図１５】
2011233292.tif 000024
【図１６】
2011233292.tif 000025
【図１７】
2011233292.tif 000026
【図１８】
2011233292.tif 000027
【図１９】
2011233292.tif 000028
【図２０】
2011233292.tif 000029
【図２１】
2011233292.tif 000030